(57)【要約】【課題】画像形成装置の設定変更を制御して、画像形成装置とサーバーとの連携機能に支障が生じないようにする。【解決手段】画像形成システム１００は、サーバー２０と、サーバー２０と通信可能に構成され、サーバー２０との連携機能を実行可能な画像形成装置１０とを備える。画像形成装置１０は、画像形成装置１０の設定を変更するための設定変更部１５６を備える。サーバーは、設定変更部１５６によって、画像形成装置１０の設定が変更されたことを検知する検知部２５５と、検知部２５５によって検知された設定変更が、サーバー２０と画像形成装置１０との連携機能の実行を阻害するものである場合に、当該設定変更を無効化する無効化部２５６とを備える。【選択図】図１２
2019029727.tif 000002
【特許請求の範囲】
【請求項１】
画像形成システムであって、
サーバーと、
前記サーバーと通信可能に構成され、当該サーバーとの連携機能を実行可能な画像形成装置とを備え、
前記画像形成装置は、当該画像形成装置の設定を変更するための設定変更部を備え、
前記サーバーは、
前記設定変更部によって、前記画像形成装置の設定が変更されたことを検知する検知部と、
前記検知部によって検知された設定変更が、前記サーバーと前記画像形成装置との連携機能の実行を阻害するものである場合に、当該設定変更を無効化する無効化部とを備える、画像形成システム。
【請求項２】
前記画像形成装置を操作するための装置操作画面と、
前記サーバーを操作するためのサーバー操作画面と、
前記装置操作画面および前記サーバー操作画面の少なくとも一方を表示するための操作パネルとをさらに備える、請求項１に記載の画像形成システム。
【請求項３】
ユーザー認証を実行するための認証部をさらに備え、
前記検知部は、前記操作パネルに前記装置操作画面を表示中に認証状態が終了したことに基づいて、前記設定変更を検知する、請求項２に記載の画像形成システム。
【請求項４】
前記検知部は、前記操作パネルに表示する画面を前記装置操作画面から前記サーバー操作画面に切り替えたときに、前記設定変更を検知する、請求項２に記載の画像形成システム。
【請求項５】
前記操作パネルに表示されている前記装置操作画面が、前記サーバーと前記画像形成装置との連携機能の実行を阻害する設定変更を含む場合に、警告を報知する警告部をさらに備える、請求項２〜４のいずれか１項に記載の画像形成システム。
【請求項６】
前記検知部が検知した設定変更を無効化するか否かの選択内容を表示するための選択内容表示部をさらに備える、請求項１〜５のいずれか１項に記載の画像形成システム。
【請求項７】
前記画像形成装置と前記サーバーとは、１つの筐体に格納されている、請求項１〜６のいずれか１項に記載の画像形成システム。
【請求項８】
サーバーと前記サーバーと連携して作動する画像形成装置とを備える画像形成システムを制御するためにサーバーで実行される方法であって、
当該画像形成装置の設定変更を検知するステップと、
前記設定変更が前記サーバーと前記画像形成装置との連携機能の実行を阻害するものである場合に、当該設定変更を無効化するステップとを備える、方法。
【請求項９】
ユーザー認証を実行するステップをさらに備え、
前記検知するステップは、前記画像形成装置を操作するための装置操作画面、および前記サーバーを操作するためのサーバー操作画面の少なくとも一方を表示するための操作パネルに前記装置操作画面を表示中に、認証状態が終了したことに基づいて前記設定変更を検知することを含む、請求項８に記載の方法。
【請求項１０】
前記検知するステップは、前記画像形成装置を操作するための装置操作画面および前記サーバーを操作するためのサーバー操作画面の少なくとも一方を表示するための操作パネルに表示する画面を前記装置操作画面から前記サーバー操作画面に切り替えたときに、前記設定変更を検知することを含む、請求項８に記載の方法。
【請求項１１】
前記操作パネルに表示されている前記装置操作画面が、前記サーバーと前記画像形成装置との連携機能の実行を阻害する設定変更を含む場合に、警告を報知するステップをさらに備える、請求項９または１０に記載の方法。
【請求項１２】
前記検知するステップで検知した設定変更を無効化するか否かの選択内容を表示するステップをさらに備える、請求項８〜１１のいずれか１項に記載の方法。
【請求項１３】
請求項８〜１２のいずれかに記載の方法を前記サーバーに実行させる、プログラム。
【発明の詳細な説明】
【技術分野】
【０００１】
本開示は、サーバーと画像形成装置とを備える画像形成システムに関し、より特定的にはサーバーと画像形成装置との連携機能の制御に関する。
【背景技術】
【０００２】
ＭＦＰ（Multi-Functional  Peripheral）などの画像形成装置が普及している。ＭＦＰは、コピー機能、ファクシミリ機能、プリンタ機能およびスキャナ機能などの複数の機能を備える。加えて、近年では、サーバーと画像形成装置とが連携して機能を実現する画像形成システムが開発されている。
【０００３】
例えば特許文献１は、「連携処理の命令後に機器の設定が変更された場合においても、指示通りの処理結果が得られるようにする」画像形成システムを開示している（要約［課題］参照）。また、特許文献２は、「情報処理装置の設定値を管理装置で一元管理しながら、情報処理装置側と管理装置側のどちらから設定値が変更された場合でも、設定値間での不整合の発生を防止する」画像形成システムを開示している（要約［課題］参照）。
【先行技術文献】
【特許文献】
【０００４】
【特許文献１】特開２０１７−０３４６１４号公報
【特許文献２】特開２０１６−０３４０８４号公報
【発明の概要】
【発明が解決しようとする課題】
【０００５】
しかしながら、上記先行技術文献に記載されているようなサーバーを備える画像形成システムでは、画像形成装置の設定変更が可能であるため、当該設定変更によって画像形成装置とサーバーとの連携機能の実行ができなくなるという不具合が生じていた。したがって、サーバーと画像形成装置とを備える画像形成システムにおいて、画像形成装置の設定変更を制御するための技術が必要とされている。
【０００６】
本開示は、上記のような問題点を解決するためになされたものであり、ある局面における目的は、サーバーと画像形成装置とを備える画像形成システムにおいて、画像形成装置とサーバーとの連携機能の実行に支障が生じないようにすることである。
【課題を解決するための手段】
【０００７】
ある局面に従うと、画像形成システムは、サーバーと、サーバーと通信可能に構成され、当該サーバーとの連携機能を実行可能な画像形成装置とを備える。画像形成装置は、当該画像形成装置の設定を変更するための設定変更部を備える。サーバーは、設定変更部によって、画像形成装置の設定が変更されたことを検知する検知部と、検知部によって検知された設定変更が、サーバーと画像形成装置との連携機能の実行を阻害するものである場合に、当該設定変更を無効化する無効化部とを備える。
【０００８】
好ましくは、画像形成システムは、画像形成装置を操作するための装置操作画面と、サーバーを操作するためのサーバー操作画面と、装置操作画面およびサーバー操作画面の少なくとも一方を表示するための操作パネルとをさらに備える。
【０００９】
好ましくは、画像形成システムは、ユーザー認証を実行するための認証部をさらに備え、検知部は、操作パネルに装置操作画面を表示中に認証状態が終了したことに基づいて、設定変更を検知する。
【００１０】
好ましくは、検知部は、操作パネルに表示する画面を装置操作画面からサーバー操作画面に切り替えたときに、設定変更を検知する。
【００１１】
好ましくは、画像形成システムは、操作パネルに表示されている装置操作画面が、サーバーと画像形成装置との連携機能の実行を阻害する設定変更を含む場合に、警告を報知する警告部をさらに備える。
【００１２】
好ましくは、画像形成システムは、検知部が検知した設定変更を無効化するか否かの選択内容を表示するための選択内容表示部をさらに備える。
【００１３】
好ましくは、画像形成装置とサーバーとは、１つの筐体に格納されている。
他の局面に従うと、サーバーと前記サーバーと連携して作動する画像形成装置とを備える画像形成システムを制御するためにサーバーで実行される方法が提供される。当該方法は、当該画像形成装置の設定変更を検知するステップと、設定変更がサーバーと画像形成装置との連携機能の実行を阻害するものである場合に、当該設定変更を無効化するステップとを備える。
【００１４】
好ましくは、当該方法は、ユーザー認証を実行するステップをさらに備える。検知するステップは、画像形成装置を操作するための装置操作画面、およびサーバーを操作するためのサーバー操作画面の少なくとも一方を表示するための操作パネルに装置操作画面を表示中に、認証状態が終了したことに基づいて設定変更を検知することを含む。
【００１５】
検知するステップは、画像形成装置を操作するための装置操作画面、およびサーバーを操作するためのサーバー操作画面の少なくとも一方を表示するための操作パネルに表示する画面を、装置操作画面からサーバー操作画面に切り替えたときに、設定変更を検知することを含む。
【００１６】
好ましくは、画像形成システムを制御するための方法は、操作パネルに表示されている装置操作画面が、サーバーと画像形成装置との連携機能の実行を阻害する設定変更を含む場合に、警告を報知するステップをさらに備える。
【００１７】
好ましくは、画像形成システムを制御するための方法は、検知するステップで検知した設定変更を無効化するか否かの選択内容を表示するステップをさらに備える。
【００１８】
さらに他の局面に従うと、上記方法をサーバーに実行させるプログラムが提供される。
この発明の上記および他の目的、特徴、局面および利点は、添付の図面と関連して理解されるこの発明に関する次の詳細な説明から明らかとなるであろう。
【図面の簡単な説明】
【００１９】
【図１】情報処理システムの一例である画像形成システムの外観を示す図である。
【図２】画像形成システムのハードウェアブロック図である。
【図３】操作パネルの２つのモードを（ＭＦＰモードとサーバーモード）を説明するための図である。
【図４】ＭＦＰのＵＩを表示する操作パネルを示す図である。
【図５】サーバーのＵＩを表示する操作パネルを示す図である。
【図６】ＦＡＸ受信機能におけるＭＦＰとサーバーとの機能構成を示す機能ブロック図である。
【図７】ＦＡＸ受信機能におけるＭＦＰとサーバーとの連携機能におけるフローチャートである。
【図８】ＦＡＸの設定画面を示す図である。
【図９】端末ＰＣからの印刷指示におけるＭＦＰとサーバーとの連携機能を示す機能ブロック図である。
【図１０】端末ＰＣからの印刷指示におけるＭＦＰとサーバーとの連携機能におけるフローチャートである。
【図１１】サーバーからＭＦＰの設定変更を行うときのフローチャートである。
【図１２】ＭＦＰでの設定変更機能における機能ブロック図である。
【図１３】保存用設定テーブルを例示した図である。
【図１４】ＭＦＰでの設定変更処理のフローチャートである。
【図１５】第２の実施の形態における、ＭＦＰでの設定変更処理を表すフローチャートである。
【図１６】第３の実施の形態におけるＭＦＰによって実現される機能を表すブロック図である。
【図１７】第３の実施の形態における、ＭＦＰでの設定変更処理を表わすフローチャートである。
【図１８】サーバー操作画面に警告を表示した一例の図である。
【図１９】第４の実施の形態におけるＭＦＰを構成する機能を表すブロック図である。
【図２０】サーバー操作画面に、ユーザによる選択内容を表示した一例を示す図である。
【発明を実施するための形態】
【００２０】
以下、図面を参照しつつ、本発明に従う各実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００２１】
＜第１の実施の形態＞
［１．画像形成システム１００の外観］
図１は、情報処理システムの一例である画像形成システム１００の外観を示す図である。図１に示されるように、画像形成システム１００は、ＭＦＰ１０と、サーバー２０と、操作パネル３０とを含む。ここで一例として、画像形成システム１００は、１つの筐体内に構成される。
【００２２】
ＭＦＰ１０は、画像形成装置の一例であり、種々の画像処理動作を実行する。画像処理動作は、たとえば、用紙への画像の印刷、画像データの加工、原稿の画像データの生成、画像データのファクシミリ送信のうち少なくとも一つを含む。
【００２３】
ＭＦＰ１０は、画像処理動作のために設けられた複数の要素（例えば、後述する図２の画像形成部１５２等）を含む。当該複数の要素は、ＭＦＰ１０の内部に収容されるトナーカートリッジ等の部品と、当該部品を収容する筐体を開閉するためのドア１０Ａと、印刷用の用紙を収容する用紙トレイ１０Ｂとを含む。
【００２４】
サーバー２０は、情報処理装置の一例であり、ファイル（アプリケーションを用いて作成されたドキュメント、等）の管理等の処理を実行する。
【００２５】
操作パネル３０は、外部からの操作を受け付ける。操作パネル３０の動作モードは、ＭＦＰモードとサーバーモードとを含む。ＭＦＰモードでは、操作パネル３０は、ＭＦＰ１０の操作画面を表示し、受け付けた操作に対応する情報をＭＦＰ１０に送信する。サーバーモードでは、操作パネル３０は、サーバー２０の操作画面（サーバー操作画面）を表示し、受け付けた操作に対応する情報をサーバー２０に送信する。
【００２６】
［２．画像形成システム１００のハードウェア構成］
図２を参照して、画像形成システム１００の具体的構成を説明する。図２は、画像形成システム１００のハードウェアブロック図である。画像形成システム１００は、ＭＦＰ１０、サーバー２０、および、操作パネル３０のそれぞれの構成を含む。
【００２７】
（ＭＦＰ１０）
図２に示されるように、ＭＦＰ１０は、全体を制御するためのＣＰＵ（Central  Processing  Unit）１５０と、記憶部１６０とを含む。ＣＰＵ１５０は、タイマー１５０Ａを含む。
【００２８】
記憶部１６０は、たとえば、ハードディスク装置、フラッシュメモリーその他の不揮発性メモリーによって実現される。記憶部１６０に格納される情報は、ＣＰＵ１５０によって実行されるプログラム、および、当該プログラムの実行に利用されるデータを含んでいてもよい。
【００２９】
なお、ＣＰＵ１５０によって実行されるプログラムは、単体のプログラムとしてではなく、モジュールとしての任意のプログラムの一部に組み込まれて提供されてもよい。さらに、当該プログラムによって提供される機能の一部または全部は、専用の回路素子その他のハードウェアによって実現されてもよい。
【００３０】
ＭＦＰ１０は、さらに、画像処理部１５１と、画像形成部１５２と、画像読取部１５３と、ネットワーク通信部１５５と、内部インターフェース１８０とを含む。
【００３１】
画像処理部１５１は、入力された画像データを処理することにより、たとえば出力される画像の拡大・縮小等の処理を実行する。画像処理部１５１は、たとえば画像処理用のプロセッサーおよびメモリーによって実現される。
【００３２】
画像形成部１５２は、トナーカートリッジ、記録用紙を収容するための用紙トレイ、および、感光体等の、記録用紙に画像を形成するためのハードウェア資源、ならびに、記録用紙を搬送するためのハードウェア資源によって実現される。画像形成部１５２は、センサー１５２０を含む。センサー１５２０は、トナーカートリッジ等を収容する扉（図１のドア１０Ａ）の開閉、および、記録用紙を収容する用紙トレイ１０Ｂの装着を検出する。
【００３３】
画像読取部１５３は、スキャナー等の、原稿の画像データを生成するように構成されたハードウェア資源によって実現される。画像読取部１５３は、自動原稿送り装置のカバーの開閉を検出する、センサー１５３０を含む。
【００３４】
ネットワーク通信部１５５は、ネットワークカード等の、ネットワークを介してデータの送受信を実行するように構成されたハードウェア資源によって実現される。
【００３５】
内部インターフェース１８０は、サーバー２０との通信のインターフェースとして機能し、たとえばＬＡＮ（Local  Area  Network）カードによって実現される。
【００３６】
（サーバー２０）
図２に示されるように、サーバー２０は、全体を制御するためのＣＰＵ２５０と、ネットワーク通信部２６０と、記憶部２７０と、内部インターフェース２８０とを含む。ＣＰＵ２５０は、タイマー２５０Ａを含む。
【００３７】
ネットワーク通信部２６０は、ネットワークカード等の、ネットワークを介してデータの送受信を実行するように構成されたハードウェア資源によって実現される。
【００３８】
記憶部２７０は、たとえば、不揮発性メモリーによって実現される。記憶部２７０に格納される情報は、ＣＰＵ２５０によって実行されるプログラム、および、当該プログラムの実行に利用されるデータを含んでいてもよい。記憶部２７０に格納されるデータは、操作パネル３０がサーバーモードにあるときのＭＦＰ１０の状態に関する設定を含む。
【００３９】
内部インターフェース２８０は、ＭＦＰ１０との通信のインターフェースとして機能し、たとえばＬＡＮカードによって実現される。
【００４０】
（操作パネル３０）
操作パネル３０は、制御用回路３５０と、表示部３６０と、操作部３７０とを含む。制御用回路３５０は、操作パネル３０の動作を制御する。制御用回路３５０は、操作パネル３０における設定情報等のデータを格納するメモリー３５１を含む。
【００４１】
操作部３７０は、操作パネル３０に対する入力を受け付ける。操作部３７０の一例は、表示部３６０に表示されるソフトウェアキー（図４のキー３１４、図５のキー３２４、等）である。
【００４２】
［３．操作パネル３０のモード］
図３は、操作パネル３０の２つのモードを（ＭＦＰモードとサーバーモード）を説明するための図である。図３の状態１００Ｘは、画像形成システム１００において操作パネル３０がＭＦＰモードにあるときの状態を示す。図３の状態１００Ｙは、画像形成システム１００において操作パネル３０がサーバーモードにあるときの状態を示す。
【００４３】
状態１００Ｘとして示されるように、ＭＦＰモードでは、操作パネル３０は、ＭＦＰ１０のＵＩ（User interface）を表示し、入力された操作の内容をＭＦＰ１０へ送信する。
【００４４】
状態１００Ｙとして示されるように、サーバーモードでは、操作パネル３０は、サーバー２０のＵＩを表示し、入力された操作の内容をサーバー２０へ送信する。
【００４５】
操作パネル３０のモードがＭＦＰモードからサーバーモードへ切り替わる条件の具体例としては、以下の＜１Ａ＞および＜１Ｂ＞が挙げられる。
【００４６】
＜１Ａ＞ＭＦＰ１０のＵＩにおいてモード切替のための入力（後述する、図４のキー３１４の操作）がユーザーによってなされたこと。＜１Ｂ＞ＭＦＰ１０が動作しない状態が予め定められた時間継続したこと。
【００４７】
操作パネル３０のモードがサーバーモードからＭＦＰモードへ切り替わる条件の具体例としては、以下の＜２Ａ＞および＜２Ｂ＞が挙げられる。
【００４８】
＜２Ａ＞サーバー２０のＵＩにおいてモード切替のための入力（後述する、図５のキー３２４の操作）がユーザーによってなされたこと。＜２Ｂ＞ＭＦＰ１０の操作パネル３０以外の部分がユーザーによって操作されたこと（ドア１０Ａを開くこと、用紙トレイ１０Ｂを引き出すこと、画像読取部１５３のＡＤＦ（Auto  Document  Feeder）カバーを開くこと、等）。
【００４９】
［４．操作パネルに表示されるＵＩ］
次に、図４および図５を参照して、ＭＦＰ１０のＵＩ、およびサーバー２０のＵＩの具体例を説明する。
【００５０】
（ＭＦＰ１０のＵＩ）
図４は、ＭＦＰ１０のＵＩを表示する操作パネル３０を示す図である。操作パネル３０は、表示部３６０を含む。表示部３６０は、たとえば、有機ＥＬ（Electro  Luminescence）ディスプレイによって実現される。図４の表示部３６０は、装置操作画面３１０を表示する。
【００５１】
装置操作画面３１０は、ＭＦＰ１０の操作画面であり、キー３１１Ａ〜３１１Ｇを含む。キー３１１Ａ〜３１１Ｇのそれぞれは、ＭＦＰ１０によって実行されるコピーに関する設定の変更の指示を受け付けるキーである。操作パネル３０は、入力された指示をＭＦＰ１０へ送信する。ＭＦＰ１０は、指示を受信すると、当該指示に従った動作を実行する。ＭＦＰ１０は、入力された指示に応じた新たなＵＩのデータを操作パネル３０に送信してもよい。新たなＵＩのデータを受信すると、操作パネル３０は、当該データに従って表示部３６０の表示を更新する。
【００５２】
装置操作画面３１０は、さらに、キー３１２，３１３，３１４を含む。キー３１２は、画像形成システム１００の電源を切るための操作を受け付ける。キー３１３は、コピー動作の開始をＭＦＰ１０に指示するための操作を受け付ける。キー３１４は、操作パネル３０の動作モードをサーバーモードへ切り替える指示を受け付ける。
【００５３】
（サーバー２０のＵＩ）
図５は、サーバー２０のＵＩを表示する操作パネル３０を示す図である。図５の表示部３６０は、サーバー操作画面３２０を表示する。
【００５４】
サーバー操作画面３２０は、サーバー２０のＵＩであり、キー３２１Ａ〜３２１Ｄを含む。キー３２１Ａ〜３２１Ｄのそれぞれは、サーバー２０によって実行される動作の項目に関する設定の入力を受け付ける。例えば、キー３２１Ａは、原稿のスキャンによる画像データの生成指示と、生成された画像データのサーバー２０での保存という指示を受け付ける。キー３２１Ｂは、原稿のスキャンによる画像データの生成指示と、生成された画像データの印刷指示との入力を受け付ける。キー３２１Ｃは、サーバー２０に保存されているデータの印刷指示の入力を受け付ける。キー３２１Ｄは、サーバー２０が実行した直近の動作のリストの表示指示の入力を受け付ける。
【００５５】
操作パネル３０は、入力された指示をサーバー２０へ送信する。サーバー２０は、指示を受信すると、当該指示に従った動作を実行する。サーバー２０は、入力された指示に応じた新たなＵＩのデータを操作パネル３０に送信してもよい。操作パネル３０は、新たなＵＩのデータを受信すると、当該データに従って表示部３６０の表示を更新する。
【００５６】
サーバー操作画面３２０は、キー３２２，３２３，３２４をさらに含む。キー３２２は、画像形成システム１００の電源を切るための操作を受け付ける。キー３２３は、サーバー２０に対する予め定められた動作の開始の指示の入力を受け付ける。キー３２４は、操作パネル３０の動作モードをＭＦＰモードへ切り替える指示の入力を受け付ける。
【００５７】
［４．ＭＦＰ１０とサーバー２０との連携機能］
（ＦＡＸ受信機能）
以下、図６および図７を参照して、ＦＡＸ受信機能におけるＭＦＰ１０とサーバー２０との連携機能を説明する。なお、本実施の形態において、連携機能とは、ＭＦＰ１０とサーバー２０とが、互いに通信しながら実行する機能を意味する。連携機能の一例は、ＦＡＸ受信機能に関するものであるが、連携機能の対象はＦＡＸ受信機能に限られない。例えば、端末ＰＣからの印刷ジョブ指示や画像形成装置内にインストールされた各種アプリケーションの起動等も連携機能の対象となり得る。図６は、ＦＡＸ受信機能におけるＭＦＰ１０とサーバー２０との機能構成を示す機能ブロック図である。図７は、ＦＡＸ受信機能におけるＭＦＰ１０とサーバー２０との連携機能実行時におけるフローチャートである。
【００５８】
図６に概要を示すように、ＭＦＰ１０のＣＰＵ１４０により実現されるＦＡＸ制御部１４１がＦＡＸを受信すると、ＦＡＸ制御部１４１は、受信したＦＡＸの内容をサーバー２０のＣＰＵ２５０により実現されるＦＡＸ管理部２５１に送信する。それを受けて、サーバー２０のＣＰＵ２５０により実現されるプリント命令部２５２は、ＭＦＰ１０内の記憶部１６０に記憶されている印刷アプリ１６１を起動する。印刷アプリ１６１が、ＭＦＰ１０のＣＰＵ１４０により実現されるプリント制御部１４２により実行され、当該ＦＡＸ内容を印刷する。別の局面において、ＦＡＸの内容は、データとして保存されてもよい。
【００５９】
図７を参照して、処理の流れを詳述する。図７では、図６で説明した処理を実線で表している。ステップＳ１００において、ＦＡＸ制御部１４１はＦＡＸを受信する。ステップＳ１１０において、ＦＡＸ制御部１４１は、転送設定がＯＮとなっているか否かを判定する。ここで、転送設定がＯＮとなっている場合（ステップＳ１１０においてＹＥＳ）、ＦＡＸ制御部１４１は、ステップＳ１５０の処理を行う。一方、転送設定がＯＮとなっていない場合（ステップＳ１１０においてＮＯ）、ＦＡＸ制御部１４１は、ステップＳ１２０の処理を行う。
【００６０】
ステップＳ１５０において、ＦＡＸ制御部１４１は、転送先を記憶部１６０から読み出す。ステップＳ１６０において、ＦＡＸ制御部１４１は、転送先として読み出したサーバー２０へＦＡＸでの受信内容を転送する。サーバー２０では、ステップＳ２００において、サーバー２０のＣＰＵ２５０は、ＦＡＸ管理部２５１として、転送されたＦＡＸ内容を受信する。
【００６１】
ステップＳ２１０において、ＦＡＸ管理部２５１は、受信したＦＡＸ内容を記録する。例えば、ＦＡＸ管理部２５１は、ＦＡＸ内容をスキャンした画像を記憶部２７０に保存する。ステップＳ２２０において、ＦＡＸ管理部２５１は、外部転送が設定されているか否かを判定する。ここで、外部転送が設定されている場合（ステップＳ２２０においてＹＥＳ）、ＦＡＸ管理部２５１は、ステップＳ２３０の処理を行う。一方、外部転送が設定されていない場合（ステップＳ２２０においてＮＯ）、ＦＡＸ管理部２５１は、ステップＳ２５０の処理を行う。
【００６２】
ステップＳ２５０において、ＦＡＸ管理部２５１は、ＦＡＸ印刷機能がＯＮとなっているか否かを判定する。ＦＡＸ印刷機能がＯＮとなっている場合（Ｓ２５０においてＹＥＳ）、プリント命令部２５２は、ステップＳ２７０の処理を行う。ＦＡＸ印刷機能がＯＮとなっていない場合（Ｓ２５０においてＮＯ）、ＦＡＸ管理部２５１は、ステップＳ２６０の処理を行う。
【００６３】
ステップＳ２６０において、ＦＡＸ管理部２５１は、ＦＡＸ内容を受信ボックスへ保存する。
【００６４】
ステップＳ２７０において、プリント命令部２５２は、ＭＦＰ１０内にインストールされている印刷アプリ１６１へ印刷を指示する。処理は、ＭＦＰ側でのステップＳ３００へ移る。
【００６５】
ステップＳ３００において、ＭＦＰ１０は、プリント命令部２５２からの印刷指示を受信する。ステップＳ３１０において、ＭＦＰ１０のＣＰＵ１４０は、印刷アプリ１６１が印刷を実行できる有効な設定となっているか否かを判定する。有効な設定となっている場合（Ｓ３１０においてＹＥＳ）、ステップＳ３２０において、印刷アプリ１６１が起動される。印刷アプリ１６１が有効な設定となっていない場合（Ｓ３１０においてＮＯ）、ステップＳ３４０において、印刷失敗エラーとなる。ステップＳ３３０において、印刷アプリ１６１からの指示を受け付けたプリント制御部１４２は、印刷を実行する。
【００６６】
このように、ＦＡＸ受信機能においては、ＭＦＰ１０とサーバー２０との連携機能や、サーバー２０とＭＦＰ１０内にインストールされた印刷アプリ１６１との連携機能が行われている。よって、これらの連携機能の実行が阻害されないように、ＭＦＰ１０が設定されている必要がある。
【００６７】
図８は、ＦＡＸの設定画面を示す図である。図８（Ａ）は、ＭＦＰ１０の設定画面を示している。図８（Ｂ）は、サーバー２０の設定画面を示している。
【００６８】
図８（Ａ）に示すように、ＭＦＰ１０の設定画面では、画像形成システム１００内のサーバー２０の固定アドレスとともに、任意のサーバーのアドレスが設定可能となっている。図８（Ｂ）に示すように、サーバー２０側での設定画面においても、画像形成システム１００内のＭＦＰ１０として固定のアドレスが設定されるとともに、任意のサーバーのアドレスが設定可能となっている。すなわち、ＭＦＰ１０とサーバー２０との転送先アドレスが正しく設定されていないと、ＦＡＸ受信時の連携機能が実現できないこととなる。
【００６９】
（端末ＰＣからの印刷）
図９は、端末ＰＣからの印刷指示におけるＭＦＰ１０とサーバー２０との連携機能を示す機能ブロック図である。図１０は、端末ＰＣからの印刷指示におけるＭＦＰ１０とサーバー２０との連携機能実行時におけるフローチャートである。以下、図９および図１０を参照して、端末ＰＣからの印刷指示におけるＭＦＰ１０とサーバー２０とにより実行される連携機能を説明する。
【００７０】
図９に示すように、サーバー２０の備えるプリント命令部２５２が端末ＰＣ４０から印刷ジョブを受信すると、プリント命令部２５２は、ＭＦＰ１０内の印刷アプリ１６１を起動する。印刷アプリ１６１が、ＭＦＰ１０のＣＰＵ１４０内のプリント制御部１４２により実行されて、当該印刷ジョブ内容の印刷を制御する。
【００７１】
図１０を参照して、上記処理の流れを説明する。図１０において、図９で説明した処理を実線で表している。ステップＳ４００において、プリント命令部２５２は、印刷ジョブを受信する。ステップＳ４１０において、プリント命令部２５２は、ＭＦＰ１０の印刷アプリ１６１へ印刷指示を送信する。処理は、ＭＦＰ側でのステップＳ５００へ移る。
【００７２】
ステップＳ５００において、ＭＦＰ１０は、印刷指示を受信する。ステップＳ５１０において、ＭＦＰ１０のＣＰＵ１４０は、印刷アプリ１６１が印刷を実行できる有効な設定となっているか否かを判定する。有効な設定となっている場合（Ｓ５１０においてＹＥＳ）、ステップＳ５２０において、ＣＰＵ１４０は、印刷アプリ１６１を起動する。印刷アプリ１６１が有効な設定となっていない場合（Ｓ５１０においてＮＯ）、制御をステップＳ５４０に切り替える。
【００７３】
ステップＳ５３０において、印刷アプリ１６１からの指示を受け付けたプリント制御部１４２は、印刷の実行を制御する。ステップＳ５４０において、ＣＰＵ１４０は、印刷失敗エラーを通知する。
【００７４】
［５．ＭＦＰ１０の設定変更］
上述したようなＭＦＰ１０とサーバー２０との連携機能を実現していく中で、ユーザーがＭＦＰ１０の設定変更を行う場合がある。ＭＦＰ１０の設定変更は、サーバー２０から行われる場合と、ＭＦＰ１０から行われる場合とがある。
【００７５】
（サーバー２０からの変更）
図１１は、サーバー２０からＭＦＰ１０の設定変更を行うときのフローチャートである。図１１を参照して、サーバー２０からＭＦＰ１０の設定変更を行う場合の処理の流れを説明する。
【００７６】
図１１に示すように、ステップＳ６００において、ＣＰＵ２５０は、操作パネル３０に、サーバー操作画面３２０を表示する。ステップＳ６１０において、ＣＰＵ２５０は、ユーザーによるサーバー操作画面３２０の操作を検知して、ＭＦＰ１０の設定を変更する。たとえば、印刷におけるカラー設定などの設定変更が想定される。
【００７７】
ステップＳ６２０において、サーバー２０のＣＰＵ２５０は、ＭＦＰ１０へ設定変更を通知する。処理は、ＭＦＰ１０におけるステップＳ７００へ移る。
【００７８】
ステップＳ７００において、ＭＦＰ１０がサーバー２０からの設定変更通知を受信すると、ステップＳ７１０において、ＭＦＰ１０のＣＰＵ１４０は、当該設定変更を実施する。これにより、ＭＦＰ１０の設定変更が完了する。
【００７９】
（ＭＦＰ１０での変更）
図１２を参照して、ＭＦＰ１０での設定変更処理を説明する。図１２は、ＭＦＰ１０での設定変更機能における機能ブロック図である。ＭＦＰ１０は、装置操作画面３１０と、ユーザー認証を実行するための認証部１５９と、ＭＦＰ１０の設定変更を行うための設定変更部１５６と、ＭＦＰ１０の設定が保存されている保存用設定テーブル１５７とを備える。認証部１５９および設定変更部１５６は、ＣＰＵ１４０により実現される。保存用設定テーブルは、記憶部１６０に記憶される。
【００８０】
ＭＦＰ１０の設定変更を行う場合、まず、ユーザーが装置操作画面３１０を操作して、認証部１５９にアクセスして管理者としてログインする。そして、ユーザーが装置操作画面３１０から設定変更を行う。その結果、設定変更部１５６が保存用設定テーブル１５７のデータを更新し、ＭＦＰ１０の設定変更が行われる。
【００８１】
ユーザーがログアウトすると、認証部１５９は、サーバー２０のＣＰＵ２５０により実現される検知部２５５にログアウトを通知する。そして、設定変更部１５６は、設定変更内容を検知部２５５に送信する。検知部２５５が設定変更を検知すると、サーバー２０のＣＰＵ２５０により実現される無効化部２５６は、受信した設定変更内容と、記憶部２７０に記憶される確認用設定テーブル２５７の内容とを照合する。ＭＦＰ１０とサーバー２０との連携機能の実行を阻害するような設定変更である場合、無効化部２５６は、保存用設定テーブル１５７における当該設定変更を無効化する。
【００８２】
次に、図１３を参照して、設定変更情報のデータ構造について説明する。図１３は、保存用設定テーブル１５７を例示した図である。図１３に示すように、保存用設定テーブルには、たとえば、各設定ごとに一意なＩＤと、各機能と、有効か無効かの情報と、設定値とが保存されている。一方、サーバー２０が備える確認用設定テーブル２５７には、ＭＦＰ１０とサーバー２０との連携機能の実行に影響を与える設定変更が記憶されている。無効化部２５６は、受信した設定変更内容のＩＤと、確認用設定テーブルに記憶されているＩＤとを比較する。そして、無効化部２５６は、受信した設定変更内容が連携機能の実行に影響があるか否かを判定する。
【００８３】
次に、図１４を参照して、上記設定変更処理の詳細を説明する。図１４は、ＭＦＰ１０での設定変更処理のフローチャートである。ステップＳ８００において、ＣＰＵ１４０は、操作パネル３０に、ＭＦＰ１０の装置操作画面３１０を表示する。ステップＳ８１０において、ユーザーが操作パネル３０を操作して管理者としてログインする。ログイン後、ユーザーは、操作パネルを操作して、ＭＦＰ１０の設定変更を行う。
【００８４】
ステップＳ８２０において、ＣＰＵ１４０は、ユーザーの操作に基づき、認証状態を終了する。ステップＳ８３０において、ＣＰＵ１４０は、認証部１５９として、サーバー２０へログアウト通知を行う。それを受けて、サーバー２０は、その通知を受信すると、ステップＳ９００において、サーバー２０はＭＦＰ１０からのログアウト通知を受信する。
【００８５】
ステップＳ８４０において、ＭＦＰ１０の設定変更部１５６は、サーバー２０へ設定変更内容を送信する。それを受けて、ステップＳ９１０において、サーバー２０の備える検知部２５５は、ＭＦＰ１０から設定変更内容を受信する。
【００８６】
ステップＳ９２０において、ＣＰＵ２５０は、ＭＦＰ１０から設定変更内容を受信すると、検知部２５５として、ＭＦＰ１０の設定変更を検知する。
【００８７】
ステップＳ９３０において、ＣＰＵ２５０は、無効化部２５６として、確認用設定テーブル２５７に基づいて、受信したＭＦＰ１０の設定変更がＭＦＰ１０とサーバー２０との連携機能の実行に影響があるか否かを判定する。具体的には、ＣＰＵ２５０は、受信した設定変更内容と、サーバー２０が備える確認用設定テーブル２５７との内容とを照合して、この設定変更が連携機能の実行に影響があるか否かを判定する。ＣＰＵ２５０は、この設定変更が連携機能の実行に影響があると判断すると（ステップＳ９３０にてＹＥＳ）、制御をステップＳ９４０に切り替える。そうでない場合には（ステップＳ９３０にてＮＯ）、ＣＰＵ２５０は、制御をステップＳ９５０に戻し、処理を終了する。
【００８８】
ステップＳ９４０において、ＣＰＵ２５０は、無効化部２５６として、ＭＦＰ１０へ対して設定無効化命令を送信する。制御は、ＭＦＰ側のステップＳ８５０に移る。
【００８９】
ステップＳ８５０において、ＭＦＰ１０のＣＰＵ１４０は、無効化部２５６から設定無効化命令を受信していない場合、処理をステップＳ８００へ移す。一方、ＣＰＵ１４０は、設定無効化命令を受信した場合、処理をステップＳ８６０へ移す。
【００９０】
ステップＳ８６０において、ＣＰＵ１４０は、設定変更命令に従って、変更された設定を無効化する。その後、ＣＰＵ１４０は、処理を終了する。その際、操作パネル３０にその旨を表示してもよい。
【００９１】
以上のようにして、本実施の形態によれば、画像形成システム１００の備えるサーバー２０は、ＭＦＰ１０の設定が変更されたことを検知し、検知された設定変更がサーバー２０とＭＦＰ１０との連携機能の実行を阻害するものである場合に、当該設定変更を無効化する。これにより、ＭＦＰ１０の設定が変更された場合であっても、ＭＦＰ１０とサーバー２０との連携機能の実行に支障が生じないようにすることができる。
【００９２】
＜第２の実施の形態＞
［概要］
以下、第２の実施の形態について説明する。第２の実施の形態では、ＭＦＰ１０がサーバーへ設定変更内容を送信するタイミングが、操作パネル３０に表示する操作画面を装置操作画面３１０からサーバー操作画面３２０に切り替えたときである点で、第１の実施の形態と異なる。なお、本実施の形態に係る画像形成システムは、前述の実施の形態に係る画像形成システム１００と同様の構成を用いて実現される。したがって、画像形成システムの構成は繰り返さない。また、前述の実施の形態と同じ処理には同一のステップ番号を付してある。したがって、同じ処理の説明は繰り返さない。
【００９３】
図１５を参照して、第２の実施の形態に係る画像形成システムの制御構造について説明する。図１５は、第２の実施の形態における、ＭＦＰ１０での設定変更処理を表すフローチャートである。第２の実施の形態では、ステップＳ８００の後、ステップＳ８１５において、ＣＰＵ１４０は、ユーザーの操作に基づいて、操作パネル３０に表示されている装置操作画面３１０を、サーバー操作画面３２０へと切り替える。サーバー２０では、ステップＳ９０５において、ＣＰＵ２５０は、サーバー操作画面３２０を操作パネル３０に表示する。
【００９４】
その後、ＭＦＰ１０では、ステップＳ８３０において、ＣＰＵ１４０は、設定変更部１５６として、サーバー２０へ設定変更内容を通知する。サーバー２０は、設定変更内容を受信すると（ステップＳ９１０）、ステップＳ９１０以降の処理において、第１の実施の形態と同様に、設定変更内容の検知および無効化処理が行われる。
【００９５】
以上のように、本実施の形態によれば、操作パネル３０に表示する操作画面を装置操作画面３１０からサーバー操作画面３２０に切り替えたときに、ＭＦＰ１０がサーバー２０へ設定変更内容を送信する。これにより、検知部２５５は、装置操作画面３１０による設定変更を、もれなく検知することができる。なお、ＭＦＰ１０がサーバー２０へ設定変更内容を送信するタイミングは、ログアウト後の画面切り替え時のタイミングとしても良い。
【００９６】
＜第３の実施の形態＞
［概要］
以下、第３の実施の形態について説明する。第３の実施の形態に係る画像形成システム３００は、装置操作画面３１０がサーバー２０とＭＦＰ１０との連携機能の実行を阻害する設定変更を警告として報知する機能をさらに備える点で、前述の各実施の形態と異なる。なお、本実施の形態に係る画像形成システム３００は、前述の実施の形態に係る画像形成システム１００と同様の構成を用いて実現される。したがって、画像形成システムの構成の説明は繰り返さない。
【００９７】
図１６を参照して、第３の実施の形態に係る画像形成システム３００の構成について説明する。図１６は、第３の実施の形態におけるＭＦＰ１０によって実現される機能を表すブロック図である。
【００９８】
図１６に示すように、第３の実施の形態におけるサーバー２０は、図１２に示される構成に加えて、警告部２５８と、画面テーブル２５９とをさらに備える。警告部２５８はＣＰＵ２５０により実現され、画面テーブル２５９に基づいて、操作パネル３０に表示される装置操作画面３１０が、サーバー２０とＭＦＰとの連携機能の実行を阻害する設定変更を含むか否かを判定し、判定結果に応じて警告を発する。画面テーブル２５９には、各画面を識別する画面ＩＤと、当該画面における設定変更の内容とが、互いに関連付けられて格納されている。より具体的には、警告部２５８は、操作パネル３０に表示される操作画面１７０の画面ＩＤを取得し、画面テーブル２５９を参照して、当該画面がサーバー２０とＭＦＰとの連携機能の実行を阻害する設定変更が画面テーブル２５９に含まれているか否かを判定する。
【００９９】
図１７を参照して、本実施の形態に係る画像形成システムの制御構造を説明する。図１７は、第３の実施の形態における、ＭＦＰ１０での設定変更処理を表わすフローチャートである。また、前述の実施の形態と同じ処理には同一のステップ番号を付してある。したがって、同じ処理の説明は繰り返さない。
【０１００】
ステップＳ１０００において、ＣＰＵ２５０は、操作パネル３０にサーバー操作画面３２０を表示する。ステップＳ１０１０において、ＣＰＵ２５０は、装置操作画面３１０の表示指示があるか否かを判定する。ＣＰＵ２５０は、当該表示指示があると判断すると（ステップＳ１０１０においてＹＥＳ）、制御をステップＳ１０２０に切り替える。そうでない場合には（ステップＳ１０１０においてＮＯ）、ＣＰＵ２５０は、制御をステップＳ１０００に戻す。サーバー操作画面３２０は、引き続き操作パネル３０に表示される。
【０１０１】
ステップＳ１０２０において、ＣＰＵ２５０は、ＭＦＰ１０を操作するための装置操作画面３１０を表示するためのデータを記憶部１６０から読み出す。ステップＳ１０３０において、ＣＰＵ２５０は、取得した装置操作画面３１０を、サーバー操作画面３２０に嵌めこむ態様で表示する。
【０１０２】
ステップＳ１０４０において、ＣＰＵ２５０は、ユーザーが装置操作画面３１０に対して行った操作を表す信号を、ＭＦＰ１０へ送信する。ステップＳ１０５０において、ＣＰＵ２５０は、ユーザーによる装置操作画面３１０の画面切り替え操作に基づいて、切り替え後の装置操作画面の画面ＩＤを記憶部２７０から取得する。
【０１０３】
ステップＳ１０６０において、ＣＰＵ２５０は、取得した画面ＩＤに基づいて、操作画面が、設定変更が禁止されている項目を含む画面であるか否かを判定する。ＣＰＵ２５０は、操作画面が当該画面であると判定した場合には（ステップＳ１０６０においてＹＥＳ）、処理をステップＳ１０７０に切り替える。そうでない場合には（ステップＳ１０６０においてＮＯ）、ＣＰＵ２５０は、処理をステップＳ１０８０に切り替える。
【０１０４】
ステップＳ１０７０において、警告部２５８は、サーバー操作画面３２０に警告を表示するための信号を出力する。
【０１０５】
ここで、図１８を参照して、警告の一例について説明する。図１８は、サーバー操作画面３２０に警告を表示した一例の図である。ＣＰＵ２５０は、警告部２５８として、警告のメッセージ１８１０を表示する。このような警告を表示することで、ユーザーが誤ってＭＦＰ１０の設定変更をしてしまい、サーバーとＭＦＰとの連携機能の実行が阻害されることを防ぐことができる。その後、処理はステップＳ１０８０へ移る。
【０１０６】
ステップＳ１０８０において、ＣＰＵ２５０は、ユーザーの操作に基づいて、装置操作画面３１０の表示が終了するか否かを判定する。ＣＰＵ２５０は、装置操作画面３１０の表示を終了すると判定した場合（ステップＳ１０８０においてＹＥＳ）、処理をステップ１０９０に切り替える。そうでない場合には（ステップＳ１０８０においてＮＯ）、ＣＰＵ２５０は、処理をステップＳ１０３０に戻し、サーバー操作画面３２０に装置操作画面３１０をはめ込んで表示する。ステップＳ１０９０において、ＣＰＵ２５０は、サーバー操作画面３２０のみを表示する。
【０１０７】
以上のようにして、本実施の形態によれば、画像形成システム３００は、装置操作画面３１０がサーバー２０とＭＦＰ１０との連携機能の実行を阻害する設定変更を警告として報知する。これにより、ユーザーに連携機能の実行を阻害する設定変更について、注意喚起することができる。
【０１０８】
＜第４の実施の形態＞
［概要］
以下、第４の実施の形態について説明する。第４の実施の形態に係る画像形成システム４００は、設定変更を無効化するか否かの選択内容を表示する点で、前述の実施の形態と異なる。なお、本実施の形態に係る画像形成システム４００は、前述の実施の形態に係る画像形成システム１００と同様の構成を用いて実現される。したがって、画像形成システムの構成の説明は繰り返さない。
【０１０９】
図１９を参照して、第４の実施の形態における画像形成システム４００で実現される機能を説明する。図１９は、第４の実施の形態におけるＭＦＰ１０を実現する機能の構成を表すブロック図である。画像形成システム４００は、図１２に示される構成に加えて、選択内容表示部１５８をさらに備える。選択内容表示部は、設定変更を無効化するか否かの選択内容を、ユーザーに対して表示する。
【０１１０】
第４の実施の形態に従う画像形成システム４００では、サーバー２０とＭＦＰ４０とによる連携機能の実行が阻害される設定変更が行われた場合、無効化部２５６が設定変更を無効化する際に、ＣＰＵ２５０は、設定変更を無効にするか否かを選択するための選択内容を、ＣＰＵ１４０により実現される選択内容表示部１５８に指示して操作パネル３０に表示させる。ここで、選択内容表示部１５８は、ユーザーが設定変更を無効にするか否かを選択可能なダイアログボックスを表示する。
【０１１１】
ここで、図２０を参照して、選択内容について説明する。図２０は、サーバー操作画面３２０に、ユーザによる選択内容を表示した一例を示す図である。ユーザーが設定変更を無効にする選択をした場合（「はい」を選択）、無効化部２５６は、設定変更を無効とする。一方、ユーザーが設定変更を無効にしない選択をした場合（「いいえ」を選択）、設定変更は無効化されない。
【０１１２】
以上のようにして、本実施の形態によれば、画像形成システム４００は、検知部２５５が検知した設定変更を無効化するか否かの選択内容を表示するための選択内容表示部１５８を備えるため、設定変更の無効化をユーザーが判断することが可能となる。
【０１１３】
＜その他の実施の形態＞
なお、本開示において示された技術的思想の適用範囲は、上述の実施の形態に限定されない。たとえば、上述の実施の形態では、無効化部２５６が設定変更内容がＭＦＰ１０とサーバー２０との連携機能の実行を阻害するか否かを判定していたが、無効化部２５６は、当該判定を行わず、ＭＦＰ１０で行われた設定変更を一律に無効化してもよい。このようにしても、上記実施の形態と同様の効果を得ることができる。
【０１１４】
以上説明したように、本開示によれば、サーバー２０とリモートで接続されたＭＦＰ１０とが連動して、サーバー２０が、ＭＦＰ１０の機能を実行することが可能となり、また、ＭＦＰ１０からサーバー２０を通じて一部の機能を実行する。画像形成システム１００のようにサーバー２０とＭＦＰ１０とが一体となって、上記の構成を実現している場合には、サーバー２０のＵＩからサーバー２０およびＭＦＰ１０の両方の機能を利用できる。また、サーバー２０とＭＦＰ１０とが一体化した構成では既存のリソースが使われ、また、ＭＦＰ１０のＵＩも従来通り利用可能となり得る。
【０１１５】
この場合、ある局面においては、サーバー２０とＭＦＰ１０とが連動した構成において、ＭＦＰ１０側で、ある設定が変更されたとき、もしそれがサーバー２０とＭＦＰとの連携機能が実現できなくなるものになる(例、サーバー２０からのＦＡＸジョブ実行命令など）場合、ユーザーが意図したとおりにサーバー２０とＭＦＰ１０とが連動しなくなることが考えられる。
【０１１６】
これに対して、本実施の形態によれば、サーバー２０とＭＦＰ１０とが連携するシステムにおいて、ＭＦＰ１０側の設定変更があっても、変更内容は、サーバー２０と連携できる設定に戻されるので、連携機能に対する障害の発生が防止され得る。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１８】
１０  画像形成装置、１０Ａ  ドア、１０Ｂ  用紙トレイ、２０  サーバー、３０  操作パネル、１００，３００，４００  画像形成システム、１４１  制御部、１４２  プリント制御部、１５０Ａ，２５０Ａ  タイマー、１５１  画像処理部、１５２  画像形成部、１５３  画像読取部、１５５，２６０  ネットワーク通信部、１５６  設定変更部、１５７  保存用設定テーブル、１５８  選択内容表示部、１５９  認証部、１６０，２７０  記憶部、１６１  印刷アプリ、１７０  操作画面、１８０，２８０  内部インターフェース、２５１  管理部、２５２  プリント命令部、２５５  検知部、２５６  無効化部、２５７  確認用設定テーブル、２５８  警告部、２５９  画面テーブル、３１０  装置操作画面、３２０  サーバー操作画面、３５０  制御用回路、３５１  メモリー、３６０  表示部、３７０  操作部。
【図１】
2019029727.tif 000003
【図２】
2019029727.tif 000004
【図３】
2019029727.tif 000005
【図４】
2019029727.tif 000006
【図５】
2019029727.tif 000007
【図６】
2019029727.tif 000008
【図７】
2019029727.tif 000009
【図８】
2019029727.tif 000010
【図９】
2019029727.tif 000011
【図１０】
2019029727.tif 000012
【図１１】
2019029727.tif 000013
【図１２】
2019029727.tif 000014
【図１３】
2019029727.tif 000015
【図１４】
2019029727.tif 000016
【図１５】
2019029727.tif 000017
【図１６】
2019029727.tif 000018
【図１７】
2019029727.tif 000019
【図１８】
2019029727.tif 000020
【図１９】
2019029727.tif 000021
【図２０】
2019029727.tif 000022